(57)【要約】      （修正有）【課題】被検者の生体情報を安定して取得できるセンサ、測定装置及び測定システムを提供する。【解決手段】測定光を射出する発光部と、測定光に応じた散乱光を検出する受光部２３０と、発光部と受光部とが実装されるパッケージ２１０とを備え、パッケージは、第１凹部２１４と、第２凹部２１６とを有し、発光部は、第１凹部の第１底面２１４ｃに実装され、受光部は、第２凹部の第２底面２１６ｃに実装され、第１凹部の、第２凹部に近い側の第１側面２１４ａの、第１底面に対する傾斜角は、第１凹部の、第２凹部から遠い側の第２側面２１４ｂの、第１底面に対する傾斜角よりも小さい。【選択図】図４
2018050804.tif 000002
【特許請求の範囲】
【請求項１】
測定光を射出する発光部と、
前記測定光に応じた散乱光を検出する受光部と、
前記発光部と前記受光部とが実装されるパッケージと
を備え、
前記パッケージは、第１凹部と、第２凹部とを有し、
前記発光部は、前記第１凹部の第１底面に実装され、
前記受光部は、前記第２凹部の第２底面に実装され、
前記第１凹部の、前記第２凹部に近い側の第１側面の、前記第１底面に対する傾斜角は、前記第１凹部の、前記第２凹部から遠い側の第２側面の、前記第１底面に対する傾斜角よりも小さい、
センサ。
【請求項２】
測定光を射出する発光部と、前記測定光に応じた散乱光を検出する受光部と、前記発光部と前記受光部とが実装されるパッケージとを備えるセンサを複数含むセンサ群を備え、
前記パッケージは、第１凹部と、第２凹部とを有し、
前記発光部は、前記第１凹部の第１底面に実装され、
前記受光部は、前記第２凹部の第２底面に実装され、
前記第１凹部の、前記第２凹部に近い側の第１側面の、前記第１底面に対する傾斜角は、前記第１凹部の、前記第２凹部から遠い側の第２側面の、前記第１底面に対する傾斜角よりも小さい、
測定装置。
【請求項３】
前記複数のセンサは、フレキシブル基板に配列して実装される、請求項２に記載の測定装置。
【請求項４】
前記複数のセンサは、前記発光部と前記受光部とが交互に配列されるように実装される、請求項３に記載の測定装置。
【請求項５】
被検者に装着される装着部をさらに備え、
前記複数のセンサは、前記装着部が前記被検者に装着された状態で、前記被検者の所定の血管と交差する方向に配列する、請求項２乃至４いずれか一項に記載の測定装置。
【請求項６】
前記センサ群を複数備え、
前記複数のセンサ群は、前記測定装置が前記装着部によって前記被検者に装着された状態で、前記被検者の所定の血管に沿う方向に配列する、請求項５に記載の測定装置。
【請求項７】
前記複数のセンサは、６ｍｍより小さいピッチで配列される、請求項２乃至６に記載の測定装置。
【請求項８】
前記複数のセンサは、３個以上配列される、請求項２乃至７に記載の測定装置。
【請求項９】
制御部をさらに備え、
前記制御部は、前記散乱光に基づいて、前記被検者の生体情報を検出する、請求項２乃至８いずれか一項に記載の測定装置。
【請求項１０】
前記制御部は、前記複数のセンサそれぞれについて、前記被検者の生体情報として脈波を検出し、検出された複数の脈波から、少なくとも１つの脈波を選択する、請求項９に記載の測定装置。
【請求項１１】
測定光を射出する発光部と、前記測定光に応じた散乱光を検出する受光部と、前記発光部と前記受光部とが実装されるパッケージとを備えるセンサを複数含むセンサ群と、
被検者に装着されるための装着部と、
前記散乱光に基づいて、前記被検者の生体情報を検出する制御部と
を有する測定装置と、
前記被検者の生体情報に基づいて、前記被検者の身体状態を判定するサーバと
を備え、
前記パッケージは、第１凹部と、第２凹部とを有し、
前記発光部は、前記第１凹部の第１底面に実装され、
前記受光部は、前記第２凹部の第２底面に実装され、
前記第１凹部の、前記第２凹部に近い側の第１側面の、前記第１底面に対する傾斜角は、前記第１凹部の、前記第２凹部から遠い側の第２側面の、前記第１底面に対する傾斜角よりも小さい、
測定システム。
【発明の詳細な説明】
【技術分野】
【０００１】
本発明は、センサ、測定装置及び測定システムに関する。
【背景技術】
【０００２】
従来、発光部と受光部とを備え、発光部から被検者の手首等の被検部に測定光を照射し、その散乱光を受光部で検出して生体情報を測定する測定装置が知られている（例えば、特許文献１参照）。
【先行技術文献】
【特許文献】
【０００３】
【特許文献１】特開２００２−３６０５３０号公報
【発明の概要】
【発明が解決しようとする課題】
【０００４】
従来の測定装置では、被検部に対して測定光を照射する発光部と、被検部からの散乱光を検出する受光部との配置形態によっては、被検部の動きに起因して、生体情報の測定が不安定になることがある。
【０００５】
かかる事情に鑑みてなされた本発明の目的は、被検者の生体情報を安定して取得できるセンサ、測定装置及び測定システムを提供することにある。
【課題を解決するための手段】
【０００６】
本開示の一実施形態に係るセンサは、測定光を射出する発光部と、前記測定光に応じた散乱光を検出する受光部と、前記発光部と前記受光部とが実装されるパッケージとを備える。前記パッケージは、第１凹部と、第２凹部とを有する。前記発光部は、前記第１凹部の第１底面に実装される。前記受光部は、前記第２凹部の第２底面に実装される。前記第１凹部の、前記第２凹部に近い側の第１側面の、前記第１底面に対する傾斜角は、前記第１凹部の、前記第２凹部から遠い側の第２側面の、前記第１底面に対する傾斜角よりも小さい。
【０００７】
本開示の一実施形態に係る測定装置は、センサを複数含むセンサ群を備える。前記センサは、測定光を射出する発光部と、前記測定光に応じた散乱光を検出する受光部と、前記発光部と前記受光部とが実装されるパッケージとを備える。前記パッケージは、第１凹部と、第２凹部とを有する。前記発光部は、前記第１凹部の第１底面に実装される。前記受光部は、前記第２凹部の第２底面に実装される。前記第１凹部の、前記第２凹部に近い側の第１側面の、前記第１底面に対する傾斜角は、前記第１凹部の、前記第２凹部から遠い側の第２側面の、前記第１底面に対する傾斜角よりも小さい。
【０００８】
本開示の一実施形態に係る測定システムは、測定装置と、サーバとを備える。前記測定装置は、センサを複数含むセンサ群を備える。前記センサは、測定光を射出する発光部と、前記測定光に応じた散乱光を検出する受光部と、前記発光部と前記受光部とが実装されるパッケージとを備える。前記測定装置は、被検者に装着されるための装着部を備える。前記測定装置は、前記散乱光に基づいて、前記被検者の生体情報を検出する制御部を備える。前記サーバは、前記被検者の生体情報に基づいて、前記被検者の身体状態を判定する。前記パッケージは、第１凹部と、第２凹部とを有する。前記発光部は、前記第１凹部の第１底面に実装される。前記受光部は、前記第２凹部の第２底面に実装される。前記第１凹部の、前記第２凹部に近い側の第１側面の、前記第１底面に対する傾斜角は、前記第１凹部の、前記第２凹部から遠い側の第２側面の、前記第１底面に対する傾斜角よりも小さい。
【発明の効果】
【０００９】
本開示の一実施形態に係るセンサ、測定装置及び測定システムによれば、被検者の生体情報を安定して取得できる。
【図面の簡単な説明】
【００１０】
【図１】実施形態１に係る測定装置の構成例を示す斜視図である。
【図２】センサ保持部の構成例を示す断面図である。
【図３】センサの構成例を示す平面図である。
【図４】図３のＡ−Ａ断面図である。
【図５】被検者の身体に装着されたセンサ保持部の構成例を示す断面図である。
【図６】リジッドフレキシブル基板への実装例を示す機能ブロック図である。
【図７】フレキシブル基板への実装例を示す機能ブロック図である。
【図８】脈波波形の例を示すグラフである。
【図９】生体情報の取得方法の一例を示すフローチャートである。
【図１０】実施形態１に係る身体状態判定の一例を示すフローチャートである。
【図１１】実施形態２に係る測定装置の構成例を示す斜視図である。
【図１２】図１１の測定装置の機能ブロック図である。
【図１３】所定距離離れた２ヶ所で取得した脈波の一例を示す図である。
【図１４】第２センサ群での生体情報の取得方法の一例を示すフローチャートである。
【図１５】実施形態２に係る身体状態判定の一例を示すフローチャートである。
【図１６】実施形態３に係る第１凹部の構成例を示す断面図である。
【図１７】図１６の第１凹部を有するパッケージの構成例を示す断面図である。
【図１８】複数の第１凹部を有するパッケージの構成例を示す断面図である。
【図１９】実施形態４に係る測定システムの構成例を示す機能ブロック図である。
【発明を実施するための形態】
【００１１】
以下、実施形態について、図面を参照して詳細に説明する。
【００１２】
（実施形態１）
図１に示されるように、測定装置１００は、センサ保持部１１０と、報知部１３０と、装着部１４０とを備える。
【００１３】
測定装置１００は、装着部１４０によって、被検者の身体に装着される。被検者の身体は、例えば被検者の腕、手首又は足首等であってよい。装着部１４０は、例えばゴム等の樹脂を含むバンドであってよい。装着部１４０は、クリップ等の形態であってよい。装着部１４０は、測定装置１００を被検者の身体に装着できるように、種々の形態とされてよい。
【００１４】
測定装置１００は、被検者の生体情報を取得する。測定装置１００は、生体情報に係る情報を報知部１３０で被検者に対して表示又は報知する。
【００１５】
図１及び図２に示されるように、センサ保持部１１０は、外装部材１１２と、センサ緩衝部材１１４と、被検部緩衝部材１１６と、センサ群１２０とを備える。外装部材１１２には、センサ緩衝部材１１４と、被検部緩衝部材１１６とが取り付けられる。外装部材１１２は、樹脂又は金属等によって構成されてよい。センサ緩衝部材１１４は、弾性を有する部材であってよい。センサ緩衝部材１１４は、センサ群１２０の変形を妨げない部材であってよい。センサ緩衝部材１１４は、例えばスポンジ又はゴム等で構成されてよい。
【００１６】
被検部緩衝部材１１６は、測定装置１００が装着される際に被検者の身体に所定の押圧で接触する。所定の押圧は、例えば、カフ式血圧計による血圧測定時にかかる押圧より小さくてよい。所定の押圧は、８０ｍｍＨｇより小さくてよい。所定の押圧は、これらに限られず、任意に定められてよい。被検部緩衝部材１１６は、弾性を有する部材で構成されてよい。被検部緩衝部材１１６は、弾性係数の小さい部材で構成されてよい。被検部緩衝部材１１６は、例えばスポンジ又はゴム等で構成されてよい。
【００１７】
センサ群１２０は、センサ緩衝部材１１４を介して、外装部材１１２に取り付けられる。センサ群１２０は、複数のセンサ２００と、共通のフレキシブル基板２５０とを備える。センサ２００は、フレキシブル基板２５０に実装される。フレキシブル基板２５０は、可撓性を有する。フレキシブル基板２５０は、樹脂材料を含んでよい。フレキシブル基板２５０は、フィルムであってよい。図２においてセンサ群１２０が備えるセンサ２００の数は３つであるが、２つであってよいし、４つ以上であってよい。
【００１８】
図２〜図４に示されるように、センサ２００は、パッケージ２１０と、発光部２２０と、受光部２３０と、カバー２４０とを備える。
【００１９】
パッケージ２１０は、例えば絶縁性を有するセラミック材料で構成されてよい。パッケージ２１０は、絶縁性を有する樹脂等の他の材料で構成されてよい。
【００２０】
パッケージ２１０は、ベース部２１７と、実装部２１８とを有する。ベース部２１７は、パッケージ２１０がフレキシブル基板２５０に取り付けられる部分である。実装部２１８は、ベース部２１７の反対側に位置する。実装部２１８は、パッケージ２１０がフレキシブル基板２５０に取り付けられた状態で、フレキシブル基板２５０とは反対側に位置する。実装部２１８には、発光部２２０と受光部２３０とが実装される。
【００２１】
実装部２１８は、第１凹部２１４と、第２凹部２１６とを有する。第１凹部２１４及び第２凹部２１６は、側面と底面とで構成される。第１凹部２１４の側面は、第１側面２１４ａと、第２側面２１４ｂとを含む。第１凹部２１４の底面は、第１底面２１４ｃとして示される。第１側面２１４ａは、第２凹部２１６に近い側の側面である。第２側面２１４ｂは、第２凹部２１６から遠い側の側面である。第２凹部２１６の側面は、第３側面２１６ａと、第４側面２１６ｂとを含む。第２凹部２１６の底面は、第２底面２１６ｃとして示される。第３側面２１６ａは、第１凹部２１４に近い側の側面である。第４側面２１６ｂは、第１凹部２１４から遠い側の側面である。
【００２２】
図３において、第１底面２１４ｃ及び第２底面２１６ｃは矩形であるが、これに限られない。第１底面２１４ｃ及び第２底面２１６ｃは、多角形であってよいし、曲線で囲まれた形状であってよい。図３において、第１凹部２１４及び第２凹部２１６それぞれの側面の数は４つであるが、これに限られない。側面の数は、第１底面２１４ｃ及び第２底面２１６ｃの形状に対応する数であってよい。第１凹部２１４及び第２凹部２１６の側面はそれぞれ、第１底面２１４ｃ及び第２底面２１６ｃの形状に沿った曲面で構成されてよい。第１凹部２１４及び第２凹部２１６それぞれにおいて、第１底面２１４ｃ及び第２底面２１６ｃと側面とは、なめらかに接続されてよい。側面が複数ある場合、各側面は、互いになめらかに接続されてよい。
【００２３】
第１凹部２１４の各側面は、第１底面２１４ｃに対して所定の角度で傾斜する。第１凹部２１４の各側面は、第１底面２１４ｃに対して略直交であってよい。第２凹部２１６の各側面は、第２底面２１６ｃに対して所定の角度で傾斜する。第２凹部２１６の各側面は、第２底面２１６ｃに対して略直交であってよい。
【００２４】
第１凹部２１４の各側面は、メタライズ層２１２で覆われてよい。第１底面２１４ｃは、メタライズ層２１２で覆われてよい。第２底面２１６ｃは、メタライズ層２１２で覆われてよい。第２凹部２１６の各側面は、メタライズ層２１２で覆われてよい。メタライズ層２１２は、例えばメタライズ処理によってパッケージ２１０の表面に形成される。メタライズ層２１２は、金属材料を含む。メタライズ層２１２で覆われる面における光の反射率は、メタライズ層２１２で覆われない面における光の反射率よりも、高くなりうる。メタライズ層２１２は、パッケージ２１０の内部に埋設され、第１底面２１４ｃ及び第２底面２１６ｃの少なくとも一面に接続されてよい。
【００２５】
発光部２２０は、第１凹部２１４の第１底面２１４ｃ上に実装される。発光部２２０は、発光素子２２０ａ及び２２０ｂを備える。発光素子２２０ａ及び２２０ｂは、例えば、発光ダイオード又はレーザダイオード等であってよい。発光ダイオードは、ＬＥＤ（Light emitting diode）ともいう。レーザダイオードは、ＬＤ（Laser Diode）ともいう。発光素子２２０ａ及び２２０ｂは、電気的に直列又は並列に接続されてよい。図３において、発光部２２０が備える発光素子の数は２個であるが、１個であってよいし、３個以上であってよい。
【００２６】
発光部２２０は、所定の波長を有する光を射出してよい。発光部２２０は、所定の波長として、例えば、４９５〜５７０ｎｍの範囲内の波長を有する光を射出してよい。４９５〜５７０ｎｍの範囲内の波長を有する光は、緑色光ともいう。発光部２２０は、所定の波長として、例えば、６２０〜７５０ｎｍの範囲内の波長を有する光を射出してよい。６２０〜７５０ｎｍの範囲内の波長を有する光は、赤色光ともいう。発光部２２０は、所定の波長として、例えば、７５０〜１６００ｎｍの範囲内の波長を有する光を射出してよい。７５０〜１６００ｎｍの範囲内の波長を有する光は、近赤外光ともいう。長波長の光は短波長の光と比べて、体のより深い位置まで進入しうる。
【００２７】
受光部２３０は、第２凹部２１６の第２底面２１６ｃ上に実装される。受光部２３０は、受光素子を備える。受光素子は、例えば、フォトダイオード又はフォトトランジスタ等であってよい。フォトダイオードは、ＰＤ（Photo-Diode）ともいう。フォトトランジスタは、ＰＴ（Photo-Transistor）ともいう。受光素子は、発光部２２０から射出される所定の波長の光に対する感度が高くなる特性を有してよい。受光部２３０は、受光素子を２個以上備えてよい。受光素子は、受けた光の強度に応じて、電圧信号又は電流信号等を出力する。センサ２００の受光部２３０の受光素子が出力する電圧信号又は電流信号のことを、センサ２００の出力ともいう。
【００２８】
カバー２４０は、パッケージ２１０の実装部２１８を覆う。カバー２４０は、発光部２２０から射出される所定の波長を有する光に対する透過性を有する。カバー２４０は、所定の波長以外の波長を有する光をカットする特性を有してよい。カバー２４０は、例えばプラスチック等の樹脂、又はガラス等で構成されてよい。
【００２９】
図５に示されるように、装着部１４０によって測定装置１００が被検者の身体に装着された場合、センサ保持部１１０は、被検者の体表面３１０に押しあてられる。被検部緩衝部材１１６は、被検者の体表面３１０に所定の押圧を与える。フレキシブル基板２５０は、被検者の体表面３１０の形状に沿って屈曲する。センサ緩衝部材１１４は、フレキシブル基板２５０の屈曲に応じて圧縮され、変形する。フレキシブル基板２５０及びセンサ緩衝部材１１４の変形によって、センサ群１２０の各センサ２００は、発光部２２０及び受光部２３０が実装されている面が被検者の体表面３１０に沿うように装着される。被検者の体表面３１０の内部には、皮下組織３２０を介して、動脈３３０がある。
【００３０】
動脈３３０は、図５の紙面に垂直な方向に延在する。複数のセンサ２００は、動脈３３０の延在方向と交差する方向に配列している。言い換えれば、複数のセンサ２００は、装着部１４０によって測定装置１００が被検者の身体に装着された状態で、被検者の動脈３３０と交差する方向に配列する。複数のセンサ２００が配列する方向は、複数のセンサ２００の発光部２２０と受光部２３０とが配列する方向と同じであってよいし、異なってよい。
【００３１】
各センサ２００の発光部２２０は、測定光３４０を射出する。測定光３４０の少なくとも一部は、体表面３１０から入射し、皮下組織３２０を通過し、動脈３３０で散乱され、測定光３４０に応じた散乱光３５０となる。散乱光３５０の少なくとも一部は、各センサ２００の受光部２３０に入射する。散乱光３５０が入射する受光部２３０は、測定光３４０を射出したセンサ２００の受光部２３０であってよいし、他のセンサ２００の受光部２３０であってよい。受光部２３０は、入射してきた散乱光３５０に基づいて、被検者の生体情報を検出する。検出された生体情報は、センサ２００の生体情報ともいう。測定光３４０を散乱する血管は、動脈３３０に限られない。センサ２００は、被検者の他の血管で散乱された散乱光３５０を検出してよい。動脈３３０及び他の血管をまとめて、被検者の所定の血管ともいう。
【００３２】
発光部２２０は、測定光３４０として近赤外光を射出してよい。近赤外光は、体表面３１０から深部に位置する動脈３３０にまで到達しやすい。動脈３３０からの散乱光３５０を検出することで、脈波検出の精度がより高くなりうる。
【００３３】
パッケージ２１０内に発光部２２０と受光部２３０とが実装されることによって、発光部２２０と受光部２３０との間の間隔が狭くされうる。発光部２２０と受光部２３０との間の間隔が狭いことによって、発光部２２０から動脈３３０に向かう方向と、動脈３３０から受光部２３０に戻る方向とのなす角度が小さくされうる。
【００３４】
図５に示されるように、複数のセンサ２００が被検者の所定の血管と交差することによって、測定装置１００の装着位置がずれた場合でも、センサ２００のいずれかが所定の血管から生体情報を取得できる可能性が高くなる。言い換えれば、センサ２００によって所定の血管から生体情報を取得可能な装着位置がより広くなりうる。
【００３５】
センサ２００がフレキシブル基板２５０に実装されることによって、発光部２２０及び受光部２３０が実装されている面が被検者の体表面３１０に沿うように各センサ２００が装着されうる。この結果、発光部２２０から動脈３３０を介して受光部２３０に至る光路の長さが短くされうる。受光部２３０に入射する散乱光３５０が多くなることによって、発光部２２０は、測定光３４０の強度を低くでき、消費電力を低減しうる。
【００３６】
図２〜図５に示されるように、複数のセンサ２００は、フレキシブル基板２５０に配列して実装される。複数のセンサ２００は、発光部２２０と受光部２３０とが交互に並ぶように配列されてよい。このようにすることで、センサ２００のいずれかが所定の血管から生体情報を取得できる可能性が高くなる。センサ２００が配列する方向と所定の血管とが交差する点は、センサ２００が被検者の生体情報を取得する位置として特定されやすくなる。センサ２００が被検者の生体情報を取得する位置は、センサ２００の生体情報取得点ともいう。
【００３７】
複数のセンサ２００は、６ｍｍより小さいピッチで配列されてよい。複数のセンサ２００は、３個以上配列されてよい。このようにすることで、センサ２００のいずれかが所定の血管から生体情報を取得できる可能性が高くなる。
【００３８】
複数のセンサ２００は、発光部２２０と受光部２３０とが配列する方向に交差する方向に配列されてよい。センサ２００の、発光部２２０と受光部２３０とが配列する方向の長さが、該方向に直交する方向の長さよりも長い場合、センサ２００がより小さいピッチで配列されうる。
【００３９】
図６に示されるように、測定装置１００は、複数のセンサ２００として、第１センサ２０１、第２センサ２０２及び第３センサ２０３を備える。複数のセンサ２００は、フレキシブル基板２５０に実装される。センサ２００の数は、３個に限られず、２個であってよいし、４個以上であってよい。測定装置１００は、制御部４００と、記憶部４１０と、通信部４２０とをさらに備える。制御部４００、記憶部４１０及び通信部４２０は、リジッド基板４５０に実装される。フレキシブル基板２５０とリジッド基板４５０とは、あわせてフレキシブルリジッド基板４６０ともいう。
【００４０】
図７に示されるように、制御部４００、記憶部４１０及び通信部４２０は、複数のセンサ２００とあわせて、フレキシブル基板２５０に実装されてよい。
【００４１】
図６及び図７に示されるように、制御部４００は、測定装置１００の各構成部とそれぞれ接続される。制御部４００は、測定装置１００の各構成部、及び測定装置１００の全体を制御及び管理するプロセッサであってよい。制御部４００は、制御手順を規定したプログラム等を実行するＣＰＵ（Central Processing Unit）等のプロセッサであってよい。プログラムは、例えば記憶部４１０等の記憶媒体に格納されてよい。
【００４２】
制御部４００は、各センサ２００に対して、発光部２２０に測定光３４０を射出させる制御情報を出力する。制御部４００は、各センサ２００から、受光部２３０で受光した散乱光３５０に基づいて検出された被検者の生体情報を取得する。
【００４３】
制御部４００は、センサ２００から取得した被検者の生体情報に基づいて、被検者の脈波を算出してよい。脈波は、心臓の拍動に応じて伝わる血管の圧変化または容積変化を波形としてとらえたものとして表されうる。例えば図８に示されるように、受光部２３０の出力の時間変化のプロットによって、被検者の脈波波形５００が表される。
【００４４】
脈波波形５００は、前駆出期間５１０と、収縮期５２０と、拡張期５３０とに分けられる。前駆出期間５１０は、心臓の収縮開始から実際に血液が拍出されるまでの期間である。前駆出期間５１０における脈波波形５００は、心臓の動きによって異なる形状となる。収縮期５２０は、心室から血液が拍出されている期間である。拡張期５３０は、心房から心室に血液が流れ込む時期である。
【００４５】
脈波波形５００は、いくつかの特徴点を有する。特徴点は、例えば、衝撃波５４０、潮浪波５５０又は重複切痕５６０等である。衝撃波５４０は、心室からの血液の拍出により発生する波である。潮浪波５５０は、下半身の動脈等から反射で生じる波である。重複切痕５６０は、大動脈弁が閉じたことに応じて生じる波であり、収縮期５２０の終点に現れる。
【００４６】
制御部４００は、取得した脈波に基づいて、被検者の脈拍数又は心拍数を算出してよい。通常、脈拍数と心拍数とは同数値となるため、ここでは同様のものとし、以降の記載は心拍数とする。制御部４００は、取得した生体情報に基づいて、被検者の身体状態に係る他の情報を算出してよい。
【００４７】
記憶部４１０は、各種情報や測定装置１００を動作させるためのプログラム等を格納する。記憶部４１０は、半導体メモリ又は磁気メモリ等で構成されてよい。記憶部４１０は、制御部４００のワークメモリとして機能してよい。記憶部４１０は、センサ２００から取得される被検者の生体情報を格納してよい。記憶部４１０は、制御部４００で算出された脈波又は心拍数等に係る情報を格納してよい。
【００４８】
通信部４２０は、有線又は無線の通信によって、サーバ等の外部装置との間で各種情報の送受信を行う。通信部４２０は、例えば、ＬＡＮ（Local Area Network）又はＣＡＮ（Control Area Network）等の通信インターフェースを備えてよい。通信部４２０は、有線又は無線によって、外部装置と通信可能であってよい。通信部４２０は、センサ２００から取得される生体情報をサーバ等の外部装置に送信してよい。通信部４２０は、制御部４００で算出された脈波又は心拍数等に係る情報をサーバ等の外部装置に送信してよい。
【００４９】
報知部１３０は、制御部４００が取得した被検者の生体情報に係る情報を表示する。報知部１３０は、制御部４００で算出された脈波又は心拍数等に係る情報を表示してよい。報知部１３０は、被検者に対するアラーム等の情報を表示してよい。
【００５０】
報知部１３０は、例えば液晶、有機ＥＬ（Electro-Luminescence）、無機ＥＬ又はＬＥＤ（Light Emission Diode）等の表示デバイスを備えてよい。報知部１３０は、音声を発するデバイスを備えてよい。報知部１３０は、制御部４００から取得した制御情報に基づいて音声を発することで、被検者又は被検者の周囲の人に対してアラーム等の情報を報知してよい。報知部１３０は、振動を発生するデバイスを備えてよい。報知部１３０は、制御部４００から取得した制御情報に基づいて振動を発生することで、被検者に対してアラーム等の情報を報知してよい。報知部１３０は、音声又は振動以外の、被検者又は被検者の周囲の人が認識可能な任意の方法で、被検者又は被検者の周囲の人に対してアラーム等の情報を報知してよい。
【００５１】
［生体情報取得フロー］
測定装置１００は、例えば図９のフローチャートで示される測定方法を制御部４００に実行させて、被検者の生体情報を取得する。図９に例示される測定方法では、複数のセンサ２００は、第１センサ２０１〜第３センサ２０３であるものとする。本実施形態に係る測定方法は、センサ２００の数が２個である場合又は４個以上である場合にも適用されうる。
【００５２】
制御部４００は、複数のセンサ２００のうちの１つを特定するためのパラメータとしてカウンタ（ｋ）を１に設定する（ステップＳ１１）。
【００５３】
制御部４００は、第ｋセンサの発光部２２０を点灯させる（ステップＳ１２）。ｋ＝１である場合、制御部４００は、第１センサ２０１の発光部２２０を点灯させる。ｋ＝２である場合、制御部４００は、第２センサ２０２の発光部２２０を点灯させる。ｋが３以上の値である場合も同様である。
【００５４】
制御部４００は、各センサ２００の出力を取得する。制御部４００は、各センサ２００の出力に基づいて生体情報を取得する（ステップＳ１３）。センサ２００の出力に基づいて取得した生体情報のことを、センサ２００の生体情報ともいう。制御部４００は、発光部２２０が点灯しているセンサ２００の出力だけでなく、他のセンサ２００の出力も取得する。制御部４００は、例えば、各センサ２００の出力の時間変化を各センサ２００の脈波として取得する。
【００５５】
制御部４００は、各センサ２００の生体情報から１つを選択する（ステップＳ１４）。制御部４００は、選択した１つの生体情報を記憶部４１０に格納してよい。ｋ＝１である場合、制御部４００は、ステップＳ１５に進む。
【００５６】
制御部４００は、ｋ＝２である場合、ｋ＝２であるときの各センサ２００の生体情報から１つ選択された生体情報と、ｋ＝１であるときに１つ選択された生体情報とから生体情報を１つ選択する。制御部４００は、ｋ＝ｉ（ｉ≧３）である場合も同様に、ｋ＝ｉであるときの各センサ２００の生体情報から１つ選択された生体情報と、ｋ＝ｉ−１であるときに１つ選択された生体情報とから生体情報を１つ選択する。言い換えれば、制御部４００は、先に取得した生体情報と、現在点灯中の発光部２２０に対応する生体情報とから、生体情報を１つ選択する。
【００５７】
制御部４００は、生体情報が脈波である場合、脈波の波高が最大であることを基準として脈波を１つ選択してよい。制御部４００は、生体情報が脈波である場合、脈波の特徴点が最も明確に表れていることを基準として脈波を１つ選択してよい。制御部４００は、取得した各センサ２００の出力に基づいて、センサ２００の生体情報を１つ選択してよい。
【００５８】
制御部４００は、第ｋセンサの発光部２２０を消灯させる（ステップＳ１５）。
【００５９】
制御部４００は、ｋ＝ｋ＋１の演算を行う（ステップＳ１６）。言い換えれば、制御部４００は、カウンタ（ｋ）の値に１を加える。
【００６０】
制御部４００は、カウンタ（ｋ）の値がセンサ２００の数より大きいか判定する（ステップＳ１７）。言い換えれば、制御部４００は、ｋ＞（センサ２００の数）という条件式が満たされるか否か判定する。制御部４００は、ｋ＞（センサ２００の数）という条件式が満たされない場合（ステップＳ１７：ＮＯ）、ステップＳ１２に戻る。制御部４００は、ｋ＞（センサ２００の数）という条件式が満たされるまで、ステップＳ１２〜Ｓ１６の処理を繰り返す。制御部４００は、ｋ＞（センサ２００の数）という条件式が満たされる場合（ステップＳ１７：ＹＥＳ）、図９のフローチャートを終了する。
【００６１】
本実施形態に係る測定装置１００は、各センサ２００において発光部２２０及び受光部２３０が実装されている面が被検者の体表面３１０の内側の動脈３３０に向かうように、測定装置１００が装着されうる。この場合、発光部２２０から射出される測定光３４０の中心光線の光路と、動脈３３０へ向かう測定光３４０の光路とがなす角度が小さくなりうる。動脈３３０から受光部２３０へ向かう散乱光３５０の光路と受光部２３０の受光面の法線とがなす角度が小さくなりうる。この結果、各センサ２００と動脈３３０との間の測定光３４０及び散乱光３５０の光路の長さが短くなりうる。発光部２２０から射出される測定光３４０は、被検部の深部にある動脈３３０に到達しやすくなりうる。動脈３３０で散乱された散乱光３５０が受光部２３０に入射しやすくなる。被検部からの生体情報がより取得されやすくなる。
【００６２】
［脈波に基づく身体状態判定］
測定装置１００は、生体情報として取得される脈波に基づいて、例えば図１０に示されるように、被検者の身体状態を判定してよい。
【００６３】
制御部４００は、被検者の脈波を取得する（ステップＳ２１）。制御部４００は、センサ群１２０に脈波を検出させてよい。制御部４００は、センサ群１２０に生体情報を検出させ、生体情報に基づいて被検者の脈波を算出してよい。制御部４００は、取得した脈波を記憶部４１０に格納してよい。脈波の取得は、所定時間にわたって連続で行われてよい。
【００６４】
制御部４００は、脈波を解析する（ステップＳ２２）。制御部４００は、例えば脈波の立ち上がり間隔を算出してよい。制御部４００は、算出した脈波の立ち上がり間隔を記憶部４１０に格納してよい。
【００６５】
制御部４００は、脈波の立ち上がり間隔から、１分間の脈波の立ち上がり回数を心拍数として算出してよい。制御部４００は、脈波の波形の特徴点を基準として脈波の立ち上がり間隔を算出してよい。制御部４００は、脈波の波形の特徴点として、脈波がピーク値に向けて立ち上がる際の変曲点を解析してよい。制御部４００は、脈波の変曲点が現れる時間間隔を脈波の間隔として算出してよい。制御部４００は、脈波の波形の特徴点として、脈波のピーク値又はボトム値を基準としてよい。制御部４００は、脈波の波形の特徴点として、図８に示される衝撃波５４０、潮浪波５５０又は重複切痕５６０等を特徴点として解析してよい。制御部４００は、脈波のピーク値又はボトム値が現れる間隔を脈波の間隔として算出してよい。心拍数は、例えば１０秒以上にわたって連続で取得された脈波に基づいて算出されてよい。
【００６６】
制御部４００は、被検者の心拍数の変動率を算出してよい。変動率を算出するための基準値は、例えば、被検者の平常時の心拍数であってよい。変動率を算出するための基準値は、被検者が移動体に乗ってから最初に算出された心拍数であってよい。制御部４００は、算出した心拍数の変動率を記憶部４１０に格納してよい。心拍数の変動率は、心拍数の上昇率又は心拍数の低下率であってよい。心拍数の変動率は、例えば３分以上にわたって連続で取得された脈波に基づいて算出されてよい。
【００６７】
制御部４００は、脈波の波高を算出してよい。制御部４００は、脈波の波形の特徴点を解析してよい。制御部４００は、脈波の波高又は波形の特徴点の解析結果を記憶部４１０に格納してよい。
【００６８】
制御部４００は、脈波の解析結果に基づいて、被検者の身体状態を判定する。制御部４００は、被検者の心拍数の低下率が眠気判定値以上となったか判定する（ステップＳ２３）。眠気判定値は、被検者の眠気を判定する基準値である。眠気判定値は、例えば１５％に設定されるがこれに限られない。眠気判定値は、適宜設定されうる値である。制御部４００は、被検者の心拍数の低下率が眠気判定値以上となった場合、被検者の身体状態の判定として、被検者の眠気が増大していると判定する。
【００６９】
ステップＳ２３において、制御部４００は、脈波の周波数解析結果に基づいて被検者の眠気を判定してよい。制御部４００は、例えば脈波の所定の周波数帯の値が上昇した場合に、被検者の眠気が増大していると判定してよい。
【００７０】
制御部４００は、被検者の心拍数の低下率が眠気判定値以上となった場合（ステップＳ２３：ＹＥＳ）、報知部１３０から被検者に対して眠気が発生している旨の注意喚起を行う（ステップＳ２４）。制御部４００は、ステップＳ２４の後、図１０のフローチャートの処理を終了する。制御部４００は、ステップＳ２１に戻って被検者の状態監視を継続してよい。
【００７１】
制御部４００は、被検者の心拍数の低下率が眠気判定値以上となっていない場合（ステップＳ２３：ＮＯ）、被検者の心拍数の上昇率が緊張判定値以上となったか判定する（ステップＳ２５）。緊張判定値は、被検者の緊張度を判定する基準値である。緊張判定値は、例えば２５％に設定されるがこれに限られない。緊張判定値は、適宜設定されうる値である。制御部４００は、被検者の心拍数の上昇率が緊張判定値以上となった場合、被検者の身体状態の判定として、被検者の緊張度が増大していると判定する。
【００７２】
ステップＳ２５において、制御部４００は、被検者の心拍数が所定値以上となった場合に、被検者の緊張度が増大していると判定してよい。所定値は、例えば１００回／分と設定されてよい。
【００７３】
制御部４００は、被検者の心拍数の上昇率が緊張判定値以上となっている場合（ステップＳ２５：ＹＥＳ）、報知部１３０から被検者に対して緊張度が高まっている旨の注意喚起を行う（ステップＳ２６）。制御部４００は、ステップＳ２６の後、ステップＳ２７に進む。
【００７４】
制御部４００は、被検者の心拍数の上昇率が緊張判定値以上となっていない場合（ステップＳ２５：ＮＯ）又はステップＳ２６の後、被検者の身体状態の判定として、被検者の脈波の解析結果が不整脈判定条件を満たすか判定する（ステップＳ２７）。不整脈判定条件は、例えば脈波の立ち上がり間隔のばらつきが所定値以上となる場合として設定される。不整脈判定条件は、脈波の波高が低下した場合として設定されてよい。不整脈判定条件は、被検者の脈波の波形と基準波形との差異が所定値以上となった場合として設定されてよい。
【００７５】
制御部４００は、被検者の脈波解析結果が不整脈判定条件を満たす場合（ステップＳ２７：ＹＥＳ）、報知部１３０から被検者に対して不整脈が発生している旨の注意喚起を行う（ステップＳ２８）。制御部４００は、ステップＳ２８の後、図１０のフローチャートの処理を終了する。制御部４００は、ステップＳ２１に戻って被検者の状態監視を継続してよい。
【００７６】
被検者の脈波解析結果が不整脈判定条件を満たさない場合（ステップＳ２７：ＮＯ）、制御部４００は、図１０のフローチャートの処理を終了する。制御部４００は、ステップＳ２１に戻って被検者の状態監視を継続してよい。
【００７７】
図１０において、ステップＳ２３の眠気判定と、ステップＳ２５の緊張判定と、ステップＳ２７の不整脈判定とは、それぞれ順番を入れ替えて実行されてよい。
【００７８】
図１０に示される身体状態判定フローによれば、脈波に基づいて被検者の身体状態が判定されうる。このようにすることで、被検者が抱く身体状態の変化についての不安が軽減されうる。被検者が移動体を運転している場合、身体状態の変化が報知されることによって、移動体がより安全に運転されうる。
【００７９】
（実施形態２）
図１１に示されるように、実施形態２に係る測定装置１００は、センサ群１２０を２つ備えてよい。図１と比較して、センサ保持部１１０は、第１センサ群１２１と、第２センサ群１２２とをさらに備える。第１センサ群１２１及び第２センサ群１２２は、それぞれセンサ群１２０ともいう。
【００８０】
図１２に示されるように、第１センサ群１２１は、第１１センサ２０１１と、第１２センサ２０１２と、第１３センサ２０１３とを備える。第２センサ群１２２は、第２１センサ２０２１と、第２２センサ２０２２と、第２３センサ２０２３とを備える。第１１センサ２０１１、第１２センサ２０１２、第１３センサ２０１３、第２１センサ２０２１、第２２センサ２０２２及び第２３センサ２０２３はそれぞれ、センサ２００ともいう。各センサ２００の構成は、実施形態１におけるセンサ２００の構成と同様である。制御部４００は、第１センサ群１２１及び第２センサ群１２２に接続され、各センサ群１２０を制御する。記憶部４１０、通信部４２０、及び報知部１３０は、図６及び図７に示されるものと同様である。
【００８１】
＜脈波伝播速度の測定＞
本実施形態に係る測定装置１００は、装着部１４０が被検者の身体に装着された状態で、複数のセンサ群１２０が被検者の所定の血管に沿う方向に配列するように構成されてよい。測定装置１００は、第１センサ群１２１及び第２センサ群１２２それぞれによって、所定の血管から脈波を取得しうる。第１センサ群１２１及び第２センサ群１２２が所定距離だけ離れた位置で脈波を取得することにより、脈波伝播速度が測定されうる。例えば、第１センサ群１２１及び第２センサ群１２２が所定の血管として手首の橈骨動脈の上に合わせるように配置される場合、制御部４００は、橈骨動脈の脈波伝播速度を算出できる。脈波伝播速度は、ＰＷＶ（Pulse Wave Velocity）ともいう。所定の血管は、橈骨動脈に限られず、他の種々の血管であってよい。
【００８２】
センサ群１２０が所定の血管から脈波を取得する際に動作する発光部２２０と受光部２３０との中間点は、脈波取得点ともいう。所定の血管において脈波が測定される位置は、測定位置ともいう。第１センサ群１２１と第２センサ群１２２との間の距離は、各センサ群１２０の脈波取得点の距離とされてよい。発光部２２０と受光部２３０とが交互に並ぶようにセンサ２００が配列される場合、発光部２２０と受光部２３０とが所定の血管に交差する。この場合、脈波取得点は、測定位置により近い点として決定されうる。
【００８３】
第１センサ群１２１及び第２センサ群１２２が同じ動脈３３０に沿うように被検者に装着される場合、制御部４００は、第１センサ群１２１及び第２センサ群１２２それぞれによって、同じ動脈３３０の脈波を取得できる。第１センサ群１２１によって、図１３（Ａ）に示される脈波Ａが取得される。第２センサ群１２２によって、図１３（Ｂ）に示される脈波Ｂが取得される。図１３において、横軸及び縦軸はそれぞれ、時刻及び受光部２３０の出力を表す。受光部２３０の出力のことをパワーＰａともいう。
【００８４】
図１３（Ａ）及び（Ｂ）に示される脈波の波形は、時刻で同期されている。図１３（Ａ）には、脈波Ａがピーク値となる時刻が一点鎖線で示されている。図１３（Ｂ）には、脈波Ｂがピーク値となる時刻が一点鎖線で示されている。図１３（Ｂ）には、さらに脈波Ａがピーク値となる時刻も一点鎖線で示されている。図１３（Ｂ）に示されている２本の一点鎖線それぞれに対応する時刻の差は、脈波が第１センサ群１２１の位置から第２センサ群１２２の位置まで伝播する時間を表す。脈波が所定距離を伝播する時間のことを、脈波伝播時間ともいう。脈波伝播時間は、ＰＴＴ（Pulse Transit Time）ともいう。図１３の例において、ＰＴＴはΔＴ（秒）である。
【００８５】
第１センサ群１２１の位置から第２センサ群１２２の位置までの距離がΔＤ（ｍ）である場合、ＰＷＶは、以下の式（１）で算出される。
ＰＷＶ（ｍ／秒）＝ΔＤ／ΔＴ      （１）
【００８６】
［生体情報取得フロー］
測定装置１００は、例えば図１４のフローチャートで示される測定方法を制御部４００に実行させて、被検者の生体情報を取得する。本実施形態に係る測定方法は、センサ群１２０が備えるセンサ２００の数が３個である場合だけでなく、２個である場合又は４個以上である場合にも適用されうる。
【００８７】
制御部４００は、図９に示される手順によって、第１センサ群１２１で被検者の生体情報を取得する（ステップＳ３１）。
【００８８】
制御部４００は、図９のステップＳ１１〜ステップＳ１７の処理と同様に、図１４のステップＳ３２〜ステップＳ３８の処理を行う。ステップＳ３２、ステップＳ３４、ステップＳ３６〜Ｓ３８はそれぞれ、図９のステップＳ１１、ステップＳ１３、ステップＳ１５〜Ｓ１７と同様である。
【００８９】
図１４のステップＳ３３において、制御部４００は、第２センサ群１２２の第ｋセンサの発光部２２０を点灯させる。
【００９０】
図１４のステップＳ３５において、制御部４００は、第２センサ群１２２の各センサ２００の生体情報から１つを選択する。図９のステップＳ１４とは、制御部４００が第１センサ群１２１で取得した生体情報に基づいて第２センサ群１２２の生体情報を選択する点において異なる。
【００９１】
制御部４００は、各センサ２００の生体情報のうち、第１センサ群１２１で取得した生体情報との相関が最も高い生体情報を選択してよい。制御部４００は、生体情報として脈波を取得する場合、第１センサ群１２１で取得した脈波の波形と、第２センサ群１２２の各センサ２００で取得した脈波の波形との間の相関係数を算出してよい。制御部４００は、第２センサ群１２２の脈波として、相関係数が最大である脈波を選択してよい。脈波の波形の相関係数は、波形の特徴点に基づいて算出されてもよい。例えば、脈波の波形のピーク値の間隔が重視されてもよいし、脈波の変曲点の形状が重視されてもよい。
【００９２】
制御部４００は、第１センサ群１２１で取得した脈波と、第２センサ群１２２で取得した脈波とに基づいてＰＴＴ又はＰＷＶを算出しうる。第１センサ群１２１で取得した脈波と、第２センサ群１２２で取得した脈波との相関係数が大きい場合、ＰＴＴの算出基準となる特徴点が容易に決定されうる。ＰＴＴの算出精度がより高くなりうる。
【００９３】
制御部４００は、第２センサ群１２２の脈波を、図９のステップＳ１４と同様の基準で選択してよい。
【００９４】
［脈波及びＰＴＴによる身体状態判定］
制御部４００は、図１５に示されるように、脈波及び脈波伝播時間に基づいて、被検者の身体状態を判定してよい。本実施形態に係る測定装置１００は、センサ群１２０を２つ備えることによって、ＰＴＴを測定しうる。本実施形態における所定距離は、第１センサ群１２１の脈波取得点と第２センサ群１２２の脈波取得点との間の距離である。所定距離は、測定装置１００における第１センサ群１２１及び第２センサ群１２２の実装位置によって定められる。本実施形態において制御部４００が測定するＰＴＴは、脈波が第１センサ群１２１の脈波取得点に対応する測定位置から第２センサ群１２２の脈波取得点に対応する測定位置まで伝播する時間である。
【００９５】
制御部４００は、第１センサ群１２１又は第２センサ群１２２によって、被検者の生体情報として脈波を取得する（ステップＳ４１）。脈波の取得方法は、図１０のステップＳ２１と同様である。制御部４００は、第１センサ群１２１及び第２センサ群１２２のいずれかによって脈波を取得してよい。制御部４００は、第１センサ群１２１及び第２センサ群１２２の両方によって脈波を取得し、脈波の特徴点に基づいて、一方の脈波を選択してよい。
【００９６】
制御部４００は、脈波を解析する（ステップＳ４２）。脈波の解析方法は、図１０のステップＳ２２と同様である。
【００９７】
制御部４００は、被検者の心拍数の低下率が眠気判定値以上となったか判定する（ステップＳ４３）。眠気判定方法は、図１０のステップＳ２３と同様である。
【００９８】
制御部４００は、被検者の心拍数の低下率が眠気判定値以上となった場合（ステップＳ４３：ＹＥＳ）、報知部１３０から被検者に対して眠気が発生している旨の注意喚起を行う（ステップＳ４４）。制御部４００は、その後、図１５のフローチャートの処理を終了する。制御部４００は、ステップＳ４１に戻って被検者の身体状態判定を継続してもよい。
【００９９】
制御部４００は、被検者の心拍数の低下率が眠気判定値以上となっていない場合（ステップＳ４３：ＮＯ）、被検者の心拍数の上昇率が緊張判定値以上となったか判定する（ステップＳ４５）。緊張判定方法は、図１０のステップＳ２５と同様である。
【０１００】
制御部４００は、被検者の心拍数の上昇率が緊張判定値以上となっている場合（ステップＳ４５：ＹＥＳ）、ステップＳ４７に進む。
【０１０１】
制御部４００は、被検者の心拍数の上昇率が緊張判定値以上となっていない場合（ステップＳ４５：ＮＯ）、被検者の身体状態の判定として、被検者の脈波の解析結果が不整脈判定条件を満たすか判定する（ステップＳ４６）。不整脈判定方法は、図１０のステップＳ２７と同様である。
【０１０２】
制御部４００は、被検者の脈波解析結果が不整脈判定条件を満たす場合（ステップＳ４６：ＹＥＳ）、ステップＳ４７に進む。被検者の脈波解析結果が不整脈判定条件を満たさない場合（ステップＳ４６：ＮＯ）、制御部４００は、図１５のフローチャートの処理を終了する。制御部４００は、ステップＳ４１に戻って被検者の身体状態判定を継続してもよい。
【０１０３】
制御部４００は、ステップＳ４５又はステップＳ４６における被検者の身体状態の判定の結果によってステップＳ４７に進んだ場合、被検者のＰＴＴを測定する（ステップＳ４７）。制御部４００は、第１センサ群１２１及び第２センサ群１２２の両方によって脈波を取得し、脈波の特徴点に基づいて、ＰＴＴを算出する。
【０１０４】
制御部４００は、ＰＴＴを解析する（ステップＳ４８）。制御部４００は、ＰＴＴの解析によって、ＰＴＴに基づくパラメータの変動を算出する。ＰＴＴに基づくパラメータとは、ＰＴＴを用いて算出、又は推定可能な被検者の生体情報である。ＰＴＴに基づくパラメータは、例えば、ＰＴＴ、ＰＷＶ及び血圧等を含む。制御部４００は、例えばＰＴＴの基準値からの変動率を算出する。基準値は、被検者の平常時のＰＴＴであってよい。基準値は、被検者が測定装置１００を装着した時点におけるＰＴＴであってよい。
【０１０５】
制御部４００は、ＰＴＴに基づくパラメータとして、被検者の血圧を推定してよい。制御部４００は、被検者のＰＴＴと血圧との関係を用いて、被検者の血圧を推定してよい。被検者のＰＴＴと血圧との関係は、予め決定されていてよいし、制御部４００によって逐次決定されてよい。血圧の推定値は、収縮期血圧（最高血圧）であってよいし、拡張期血圧（最低血圧）であってよい。血圧の推定値は、平均血圧であってよい。平均血圧は、例えば、最高血圧と最低血圧とを用いて、以下の式（２）で表される。
（平均血圧）＝（最高血圧＋最低血圧×２）／３      （２）
【０１０６】
制御部４００は、ＰＴＴに基づくパラメータが所定の変動をしたか否かを判定する。制御部４００は、被検者のＰＴＴの変動率が所定範囲内であるか判定する（ステップＳ４９）。ＰＴＴの変動率のことを、ＰＴＴ変動率ともいう。所定範囲は、例えば基準値を中心に±２５％の範囲とされる。所定範囲はこれに限られず、適宜定められうる。
【０１０７】
制御部４００は、被検者の血圧の推定値が所定範囲内であるか判定してよい。この場合の所定範囲は、例えば被検者の平常時の血圧を中心に±２０ｍｍＨｇの範囲とされてよい。この場合も、所定範囲は適宜定められうる。
【０１０８】
ＰＴＴ変動率が所定範囲内である場合（ステップＳ４９：ＹＥＳ）、制御部４００は、報知部１３０から被検者に対して緊張度が高まっている又は不整脈が発生している旨の注意喚起を行う（ステップＳ５０）。制御部４００は、ステップＳ４５において被検者の心拍数の上昇率が緊張判定値以上となったことによりステップＳ４７に進んだ場合、ステップＳ５０において、報知部１３０から被検者に対して緊張度が高まっている旨の注意喚起を行う。制御部４００は、ステップＳ４６において被検者の脈波解析結果が不整脈判定条件を満たしたことによりステップＳ４７に進んだ場合、ステップＳ５０において、報知部１３０から被検者に対して不整脈が発生している旨の注意喚起を行う。制御部４００は、その後、図１５のフローチャートの処理を終了する。制御部４００は、ステップＳ４１又はステップＳ４７に戻って被検者の身体状態判定を継続してよい。
【０１０９】
ＰＴＴ変動率が所定範囲内でない場合（ステップＳ４９：ＮＯ）、制御部４００は、ＰＴＴに基づくパラメータが所定の変動をしたと判定する。ＰＴＴ変動率が所定範囲内でない場合、制御部４００は、被検者の疾患リスクが高まっていると判定する。制御部４００は、ＰＴＴに基づくパラメータが所定の変動をした旨を報知部１３０から報知し、被検者の疾患リスクが高まっている旨の注意喚起を行う（ステップＳ５１）。制御部４００は、ＰＴＴに基づくパラメータが所定の変動をした場合、被検者の疾患リスクに係る情報を報知してよい。制御部４００は、通信部４２０から外部装置に対して、ＰＴＴ変動率に係る情報又は注意喚起に係る情報を送信してもよい。制御部４００は、その後、図１５のフローチャートの処理を終了する。制御部４００は、ステップＳ４１又はステップＳ４７に戻って被検者の身体状態判定を継続してよい。
【０１１０】
図１５のフローチャートにおいて、制御部４００は、ステップＳ４３、ステップＳ４５及びステップＳ４６の順序を適宜入れ替えて実行してよい。
【０１１１】
図１５のフローチャートにおいて、制御部４００は、ＰＴＴの代わりに、ＰＴＴに基づくパラメータとして、ＰＷＶを用いてよい。制御部４００は、ＰＴＴに基づくパラメータとして、ＰＴＴから推定される血圧を用いてよい。制御部４００は、ＰＴＴに基づくパラメータとして、ＰＴＴに基づく種々のパラメータ又はその変動を用いてよい。
【０１１２】
（実施形態３）
図１６に示されるパッケージ２１０の各部は、図４に示されるものと同様である。図１６に示されるように、第１底面２１４ｃから延在する面が、破線で示されている。第１側面２１４ａは、第１底面２１４ｃに対して、第１傾斜角２１４１ａを有して傾斜する。第２側面２１４ｂは、第１底面２１４ｃに対して、第２傾斜角２１４１ｂを有して傾斜する。
【０１１３】
発光部２２０は、破線で示される測定光３４０を射出する。測定光３４０は、第１側面２１４ａの側に射出される測定光３４０ａと、第２側面２１４ｂの側に射出される測定光３４０ｂとを含む。
【０１１４】
第１傾斜角２１４１ａは、第２傾斜角２１４１ｂよりも小さい。言い換えれば、第１側面２１４ａの第１底面２１４ｃに対する傾斜角は、第２側面２１４ｂの第１底面２１４ｃに対する傾斜角よりも小さい。測定光３４０ａは、第１傾斜角２１４１ａが第２傾斜角２１４１以上である場合と比較して、第１側面２１４ａに入射しにくい。測定光３４０ａは、第１側面２１４ａの側に向いたまま、第１凹部２１４の外側へ射出されやすい。
【０１１５】
測定光３４０ｂの少なくとも一部は、第２側面２１４ｂに入射せず、第２側面２１４ｂの側に向いたまま、第１凹部２１４の外側へ射出されうる。測定光３４０ｂの少なくとも一部は、第２側面２１４ｂに入射して、第２側面２１４ｂで反射される。図４に示されるように第２側面２１４ｂがメタライズ層２１２で覆われる場合、測定光３４０ｂは、第２側面２１４ｂで反射されやすくなる。第２側面２１４ｂで反射された測定光３４０ｂは、測定光３４０ｃとして示される。測定光３４０は、第１側面２１４ａの側に向きを変えて、第１凹部２１４の外側へ射出される。
【０１１６】
図１７に示されるように、パッケージ２１０は、図１６に示される第１凹部２１４の第１側面２１４ａの側に、第２凹部２１６を有する。第２凹部２１６の第２底面２１６ｃには受光部２３０が実装される。パッケージ２１０を有する測定装置１００は、発光部２２０及び受光部２３０が実装されている面が動脈３３０に向くように被検者に装着されている。
【０１１７】
測定光３４０は、動脈３３０で散乱され、散乱光３５０になる。測定光３４０は、測定光３４０ａ及び３４０ｃを含む。散乱光３５０は、測定光３４０ａが散乱された散乱光３５０ａと、測定光３４０ｃが散乱された散乱光３５０ｃとを含む。
【０１１８】
測定光３４０が動脈３３０で散乱される散乱光３５０のうち、測定光３４０が動脈３３０で反射される方向へ向かう散乱光３５０が多くなりうる。第１側面２１４ａの側に向いて第１凹部２１４の外側へ射出される測定光３４０が多いほど、動脈３３０から受光部２３０へ到達する散乱光３５０が多くなりうる。図１６に示されるように、第１傾斜角２１４１ａが第２傾斜角２１４１ｂよりも小さいことで、動脈３３０から受光部２３０へ到達する散乱光３５０がより多くなりうる。測定光３４０が少なくされうる。発光部２２０の消費電力が低減されうる。
【０１１９】
図１８に示されるように、パッケージ２１０は、複数の第１凹部２１４を有してよい。各第１凹部２１４には、発光部２２０が実装されてよい。パッケージ２１０は、複数の第２凹部２１６を有してよい。各第２凹部２１６には、受光部２３０が実装されてよい。
【０１２０】
第１凹部２１４は、両側を第２凹部２１６で挟まれることがある。図３及び図４に示されるように、第１側面２１４ａは、第２凹部２１６に近い側に位置する側面として定義されている。図１８の場合、第１凹部２１４の側面は、両方とも第１側面２１４ａとなることがある。この場合でも、第１側面２１４ａの第１傾斜角２１４１ａが、第２側面２１４ｂの第２傾斜角２１４１ｂよりも小さくされてよい。このようにすることで、測定光３４０が動脈３３０で散乱される散乱光３５０は、受光部２３０に到達しやすくなる。この結果、発光部２２０は、測定光３４０の強度を低くでき、消費電力を低減しうる。
【０１２１】
複数の第１凹部２１４を有するパッケージ２１０は、第１凹部２１４を１つ有する場合と比較して、長くされうる。長いパッケージ２１０は、被検者の体表面３１０の比較的フラットな部分に装着されうる。
【０１２２】
（実施形態４）
図１９に示されるように、測定システム７００は、測定装置１００と、サーバ６００とを備える。
【０１２３】
測定装置１００は、制御部４００と、記憶部４１０と、通信部４２０と、報知部１３０とを備える。図１９の測定装置１００は、実施形態１〜３で説明してきた測定装置１００であってよい。
【０１２４】
サーバ６００は、サーバ制御部６１０と、サーバ記憶部６２０と、サーバ通信部６３０とを備える。
【０１２５】
サーバ制御部６１０は、サーバ６００の各構成部、及びサーバ６００の全体を制御及び管理するプロセッサであってよい。サーバ制御部６１０は、制御手順を規定したプログラム等を実行するＣＰＵ等のプロセッサであってよい。プログラムは、例えばサーバ記憶部６２０等の記憶媒体に格納されてよい。
【０１２６】
サーバ記憶部６２０は、各種情報やサーバ６００を動作させるためのプログラム等を格納する。サーバ記憶部６２０は、半導体メモリ又は磁気メモリ等で構成されてよい。サーバ記憶部６２０は、サーバ制御部６１０のワークメモリとして機能してよい。サーバ記憶部６２０は、測定装置１００から取得した情報を格納してよい。
【０１２７】
サーバ通信部６３０は、例えば、ＬＡＮ又はＣＡＮ等の通信インターフェースを備えてよい。サーバ通信部６３０は、有線又は無線によって、測定装置１００と通信可能に接続されてよい。サーバ通信部６３０は、ネットワークを介して測定装置１００に接続されてよい。測定装置１００は、無線ＬＡＮ等の無線通信でネットワークに接続されてよい。測定装置１００は、有線の通信でネットワークに接続されてよい。
【０１２８】
測定装置１００は、サーバ６００に通信可能に接続される。通信部４２０とサーバ通信部６３０とは、有線又は無線によって、互いに通信可能に接続されてよい。測定装置１００は、測定した生体情報をサーバ６００に出力してよい。サーバ６００は、測定装置１００から取得した生体情報に基づいて、例えば図１０及び図１５に示される手順によって、被検者の身体状態を判定してよい。サーバ６００は、被検者の身体状態に係る情報を測定装置１００に出力してよい。測定装置１００は、サーバ６００から生体情報に基づく被検者の身体状態に係る情報を取得してよい。測定装置１００は、サーバ６００から取得した被検者の身体状態に係る情報に基づいて、報知部１３０によって、被検者に報知を行ってよい。
【０１２９】
本開示に係る構成は、以上説明してきた実施形態にのみ限定されるものではなく、幾多の変形又は変更が可能である。例えば、各構成部等に含まれる機能等は論理的に矛盾しないように再配置可能であり、複数の構成部等を１つに組み合わせたり、或いは分割したりすることが可能である。
【０１３０】
本開示に係る測定装置１００において、第１凹部２１４の側面は、レンズ作用を有する形状であってよい。このようにすることで、測定光３４０の射出方向が制御されうる。第２凹部２１６の側面は、レンズ作用を有する形状であってよい。このようにすることで、散乱光３５０が受光部２３０に入射しやすくなる。
【符号の説明】
【０１３１】
１００  測定装置
１１０  センサ保持部
１１２  外装部材
１１４  センサ緩衝部材
１１６  被検部緩衝部材
１２０  センサ群
１２１  第１センサ群
１２２  第２センサ群
１３０  報知部
１４０  装着部
２００  センサ
２０１〜２０３  第１〜第３センサ
２１０  パッケージ
２１２  メタライズ層
２１４  第１凹部
２１４ａ  第１側面
２１４ｂ  第２側面
２１４ｃ  第１底面
２１６  第２凹部
２１６ａ  第３側面
２１６ｂ  第４側面
２１６ｃ  第２底面
２１７  ベース部
２１８  実装部
２２０  発光部
２２０ａ、２２０ｂ  発光素子
２３０  受光部
２４０  カバー
２５０  フレキシブル基板
３１０  体表面
３２０  皮下組織
３３０  動脈
３４０  測定光
３５０  散乱光
４００  制御回路
４５０  リジッド基板
５００  脈波波形
５１０  前駆出期間
５２０  収縮期
５３０  拡張期
５４０  衝撃波
５５０  潮浪波
５６０  重複切痕
６００  サーバ
６１０  サーバ制御部
６２０  サーバ記憶部
６３０  サーバ通信部
７００  測定システム
【図１】
2018050804.tif 000003
【図２】
2018050804.tif 000004
【図３】
2018050804.tif 000005
【図４】
2018050804.tif 000006
【図５】
2018050804.tif 000007
【図６】
2018050804.tif 000008
【図７】
2018050804.tif 000009
【図８】
2018050804.tif 000010
【図９】
2018050804.tif 000011
【図１０】
2018050804.tif 000012
【図１１】
2018050804.tif 000013
【図１２】
2018050804.tif 000014
【図１３】
2018050804.tif 000015
【図１４】
2018050804.tif 000016
【図１５】
2018050804.tif 000017
【図１６】
2018050804.tif 000018
【図１７】
2018050804.tif 000019
【図１８】
2018050804.tif 000020
【図１９】
2018050804.tif 000021